(57)【要約】【課題】  着信時に呼出音が鳴動しないサイレントモードが設定された状態であっても、特定の相手からの着信には呼出音が鳴動する電話装置を提供する。【解決手段】  着信時に呼出音が鳴動しないサイレントモードが設定された状態であっても、鳴動番号登録手段であるデータベース１１２に登録されている特定の発信者番号からの着信には鳴動し、制御部１０５は本装置１００の利用者が着信に対してフックオフしたか否かにより、データベース１１２に発信者番号を自動登録する、または登録済みの発信者番号を自動削除する。【選択図】図１
2011055249.tif 000002
【特許請求の範囲】
【請求項１】
着信時に呼出音が鳴動しないサイレントモードを有する電話装置において、
着信時に当該着信の発信元である発信者番号を抽出する発信者番号抽出手段と、着信時に呼出音が鳴動しないサイレントモードに設定するサイレントモード設定手段と、前記サイレントモードが設定された状態であっても呼出音を鳴動させる特定の発信者番号を登録する鳴動番号登録手段と、を有し、
前記サイレントモードが設定されている状態で、前記鳴動番号登録手段に登録されていない発信者番号の発信元から着信した場合に、自装置の操作者が当該着信に応答したならば、当該着信の発信者番号を前記鳴動番号登録手段に自動的に登録することを特徴とする発信者番号対応サイレントモードを有する電話装置。
【請求項２】
着信時に呼出音が鳴動しないサイレントモードを有する電話装置において、
着信時に当該着信の発信元である発信者番号を抽出する発信者番号抽出手段と、着信時に呼出音が鳴動しないサイレントモードに設定するサイレントモード設定手段と、前記サイレントモードが設定された状態であっても呼出音を鳴動させる特定の発信者番号を登録する鳴動番号登録手段と、を有し、
前記サイレントモードが設定されている状態で、前記鳴動番号登録手段に登録されている発信者番号の発信元から着信した場合に、呼出音を鳴動開始してから予め定められた時間以上が経過しても、自装置の操作者が当該着信に応答しないならば、当該着信の発信者番号を前記鳴動番号登録手段から自動的に削除することを特徴とする発信者番号対応サイレントモードを有する電話装置。
【発明の詳細な説明】
【技術分野】
【０００１】
本発明は、着信時に呼出音が鳴動しないサイレントモードを有する電話装置に関する。
【背景技術】
【０００２】
携帯電話等において、着信種別毎に着信鳴動を制御する技術がある（例えば特許文献１）。しかしながら、特許文献１の技術では、着信種別に応じた柔軟な着信鳴動抑制が可能であるが、着信鳴動しない着信種別の場合には、特定の重要な相手からの着信も無鳴動となるのでその着信に気が付かない可能性が高いという欠点がある。
【先行技術文献】
【特許文献】
【０００３】
【特許文献１】特開２００１−２５０６３号公報
【発明の概要】
【発明が解決しようとする課題】
【０００４】
そこで、本発明の課題は、着信時に呼出音が鳴動しないサイレントモードが設定された状態であっても、相手によって呼出音を鳴動する／鳴動しないを制御する機能を有する電話装置を提供することにある。
【課題を解決するための手段】
【０００５】
本発明の電話装置は、着信時に当該着信の発信元である発信者番号を抽出する発信者番号抽出手段と、着信時に呼出音が鳴動しないサイレントモードに設定するサイレントモード設定手段と、前記サイレントモードが設定された状態であっても呼出音を鳴動させる特定の発信者番号を登録する鳴動番号登録手段と、を有し、前記サイレントモードが設定されている状態で、前記鳴動番号登録手段に登録されていない発信者番号の発信元から着信した場合に、自装置の操作者が当該着信に応答したならば、当該着信の発信者番号を前記鳴動番号登録手段に自動的に登録することを特徴とする発信者番号対応サイレントモードを有することを特徴とする。
【０００６】
また、本発明の電話装置は、着信時に当該着信の発信元である発信者番号を抽出する発信者番号抽出手段と、着信時に呼出音が鳴動しないサイレントモードに設定するサイレントモード設定手段と、前記サイレントモードが設定された状態であっても呼出音を鳴動させる特定の発信者番号を登録する鳴動番号登録手段と、を有し、前記サイレントモードが設定されている状態で、前記鳴動番号登録手段に登録されている発信者番号の発信元から着信した場合に、呼出音を鳴動開始してから予め定められた時間以上が経過しても、自装置の操作者が当該着信に応答しないならば、当該着信の発信者番号を前記鳴動番号登録手段から自動的に削除することを特徴とする発信者番号対応サイレントモードを有することを特徴とする。
【発明の効果】
【０００７】
本発明によれば、着信時に呼出音が鳴動しないサイレントモードを設定した場合、一般的な着信に対しては無鳴動であっても、特定の相手からの着信には鳴動するので、重要な着信に気が付かない事態を回避できる電話装置を提供できる。
【０００８】
しかも、サイレントモードが設定された状態での着信に対して、その着信に出たか否かにより、次回以降のその相手からの着信が鳴動する／しないを自動的に登録できることにより、サイレントモード設定中の鳴動すべき相手の登録を自動的に更新できるので、相手登録に係る手間が省けるという効果がある。
【図面の簡単な説明】
【０００９】
【図１】電話装置の機能ブロック図である。
【図２】本発明の電話装置の動作を説明するフローチャートである。
【発明を実施するための形態】
【００１０】
以下、本発明の実施の形態について、図を用いて説明する。
【００１１】
図１は本発明の電話装置の機能ブロック図である。電話装置１００は、電話回線２００と接続する回線インターフェース部１０１を備える。電話装置１００の使用者の音声は、ハンドセット１０３のマイク（図示せず）から入力され、音声送受信部１０２、回線インターフェース部１０１を経由し電話回線２００へ送信される。通話相手からの音声は、電話回線２００より回線インターフェース部１０１、音声送受信部１０２を経由し、電話装置１００の使用者が持つハンドセット１０３のスピーカ（図示せず）で再生される。なお、着信時に電話装置１００の使用者がハンドセット１０３をフックオフし通話をする際、ハンドセット１０３よりフックオフ信号が制御部１０５へ通知される。
【００１２】
発ＩＤ抽出部１０４は、着信があった場合に発信元の発信者番号を抽出して、制御部１０５へ通知する。
【００１３】
着信表示処理部１０６は、着信時に呼出音をスピーカ１０７から出力すると共に、着信中をディスプレイ１０８に表示させる。なお、ディスプレイ１０８としては、ＬＥＤやＬＣＤ等の任意の表示デバイスが適用可能である。
【００１４】
電話装置１００は、ダイヤルキー１１０、サイレント設定キー１１１のキー押下を検出するキー押下検出部１０９を備える。
【００１５】
電話装置１００が待機中において、サイレント設定キー１１１の押下をキー押下検出部１０９が検出した場合、前記電話装置１００の全体のモードは、「サイレントモード中」又は、「非サイレントモード中」に切り替わる。また、ダイヤルキー１１０の押下をキー押下検出部１０９が検出することにより、「サイレントモード中」又は、「非サイレントモード中」に切り替わる。
【００１６】
前記モードは、予め決められたダイヤルキー１１０の押下をキー押下検出部１０９が検出することでも切り替わる。例えば、ダイヤルキー「＃、１、０、１」の押下検出は、前記電話装置１００の全体のモードを「サイレントモード中」に設定し、ダイヤルキー「＃、１、０、２」の押下検出は、前記電話装置１００の全体のモードを「非サイレントモード中」に設定する。ダイヤルキー１１０は、発信操作をする際に使用するキーも兼ねており、「１、２、３、４、５、６、７、８、９、０、＊、＃」の１２個のキーの総称である。
【００１７】
電話装置１００は、サイレントモード中の呼出音を鳴動させる対象の電話番号を蓄積するデータベース１１２を備える。データベース１１２は、例えば、電話帳データを登録して記憶する手段であって、本発明においては相手の電話番号と関連付けて呼出音を鳴動させるか否かも登録する（鳴動番号登録手段）。データベース１１２は、電話装置１００がサイレントモード中において着信があった場合、サイレントモード中にもかかわらず呼出音を鳴動させる発信元の発信者番号を保存管理する。
【００１８】
制御部１０５は、前記各部を制御する。
【００１９】
図２は、本発明の電話装置１００の動作フローチャートである。
【００２０】
本フローはサイレントモードが設定されている状態でスタートする。以下、図１を併用して処理フローを説明する。
【００２１】
サイレントモードが設定されている状態で着信があった場合（Ｓ２００、ＹＥＳ）、着信表示処理部１０６は、ディスプレイ１０８に着信表示を出力し、スピーカ１０７には、呼出音を出力しない（Ｓ２０１）。
【００２２】
前記着信表示後、発信元の発信者番号がデータベース１１２に登録されているかを検索する（Ｓ２０２）。前記検索の結果、発信元の発信者番号がデータベース１１２に登録されていない場合（Ｓ２０２、ＮＯ）、電話装置１００のハンドセット１０３がフックオフされたかどうかを例えば１０秒間監視する（Ｓ２０８、Ｓ２０９）。前記監視期間内にハンドセット１０３よりオフフック信号が制御部１０５へ通知された（フックオフを検出する）場合（Ｓ２０８、ＹＥＳ）、（Ｓ２０９、ＮＯ）、当該着信の発信元の発信者番号を前記データベース１１２に登録する（Ｓ２１０）。
【００２３】
なお、電話装置１００が着信時に発信元の発信者番号をデータベース１１２へ設定する方法として、次に示す２通りの方法で手動設定することも出来る。
【００２４】
前記手動設定する方法の一つめとして、当該着信の発信元の発信者番号がデータベース１１２に登録がされておらず（Ｓ２０２、ＮＯ）、フックオフを検出しないまま（Ｓ２０８、ＮＯ）、予め定められた時間以内（例えば１０秒間）が経過した状態で（Ｓ２０９、ＹＥＳ）、電話装置１００の使用者がサイレント設定キー１１１を押下した場合に（Ｓ２１１、ＹＥＳ）、当該着信の発信元の発信者番号を前記データベース１１２に登録する（Ｓ２１０）。
【００２５】
前記手動設定する方法の二つめとして、フックオフの検出後（Ｓ２０８、ＹＥＳ）、通話してその後終話し、終話後一定期間内（例えば１０秒）にサイレント設定キー１１１の押下を検出した場合（図示せず）。
【００２６】
Ｓ２０２で、発信元の発信者番号がデータベース１１２に登録されていた場合（Ｓ２０２、ＹＥＳ）、着信表示処理部１０６は、スピーカ１０７から呼出音を出力させ（Ｓ２０３）、ハンドセット１０３がフックオフされたかどうかを監視する（Ｓ２０４）。ハンドセット１０３よりオフフック信号が制御部１０５へ通知されない（フックオフを検出しない）状態のまま（Ｓ２０４、ＮＯ）、所定の時間（例えば１０秒）が経過した場合（Ｓ２０５、ＹＥＳ）、データベース１１２に登録されている当該着信の発信元の発信者番号を前記データベース１１２から削除する（Ｓ２０６）。
【００２７】
前記監視期間内にフックオフを検出した場合（Ｓ２０４、ＹＥＳ）、電話装置１００は、呼出音の鳴動を停止して（Ｓ２０７）、Ｓ２００に戻る。
【００２８】
なお、本フローはサイレントモードにおける着信の制御フローであり。例えば、Ｓ２０４，Ｓ２０８において、フックオフを検出（ＹＥＳ）した後は、通話処理に係る別の制御フロー（図示せず）に処理を引き継ぐ。
【００２９】
以上説明した通り、本発明に拠れば、電話装置１００が着信時に呼出音が鳴動しないサイレントモードが設定されている状態において、データベース１１２に登録されていない発信者番号の発信元から着信した場合に、自装置の操作者が当該着信に応答したならば、当該着信の発信者番号を前記データベース１１２に自動的に登録することが可能である。
【００３０】
また、電話装置１００が着信時に呼出音が鳴動しないサイレントモードが設定されている状態において、データベース１１２に登録されている発信者番号から着信した場合に、呼出音を鳴動開始してから予め定められた時間以上が経過しても自装置の操作者が当該着信に応答しないならば、当該着信の発信元の発信者番号を前記データベース１１２から自動的に削除することが可能である。
【００３１】
なお、本実施例においては、電話回線との接続が有線である電話装置を例に説明したが、本発明はこれに限定されない。例えば、本電話装置は、無線通信による携帯電話機や無線ＬＡＮ電話機等であっても良い。
【００３２】
さらに本電話装置は、ビジネスホンシステムや構内交換機（ＰＢＸ）の内線電話機であっても良い。
【符号の説明】
【００３３】
２００…電話回線、１００…電話装置、１０１…回線インターフェース部、１０２…音声送受信部、１０３…ハンドセット、１０４…発ＩＤ抽出部、１０５…制御部、１０６…着信表示処理部、１０７…スピーカ、１０８…ディスプレイ、１０９…キー押下検出部、１１０…ダイヤルキー、１１１…サイレント設定キー、１１２…電話帳データを蓄積するデータベース
【図１】
2011055249.tif 000003
【図２】
2011055249.tif 000004